(57)【特許請求の範囲】
【請求項１】
方向認識デバイスを用いて本携帯端末装置が向いている方向を測定する方向測定部と、
前記方向に基づいてポインタ位置を算出するポインタ位置算出部と、
プレゼンテーション用画面の前記ポインタ位置にポインタが映し出されている画面を生成する画面作成部と、
前記画面を表示装置に出力する画面送信部
とを具備する携帯端末装置。
【請求項２】
請求項１において、
前記画面は、前記方向が所定の範囲に含まれないときに、前記ポインタが映し出されないように作成される
携帯端末装置。
【請求項３】
請求項１または請求項２のいずれかにおいて、
前記方向認識デバイスは、地磁気を用いて前記方向を測定する
携帯端末装置。
【請求項４】
請求項１〜請求項３のいずれかにおいて、
入力デバイスを介して入力される情報に基づいて複数の設定方向を認識する設定部をさらに具備し、
前記ポインタ位置は、前記複数の設定方向にさらに基づいて算出される
携帯端末装置。
【請求項５】
請求項１〜請求項３のいずれかにおいて、
本携帯端末装置に固定されたカメラデバイスを用いて、前記表示装置に表示される画面の画像を撮影する設定部をさらに具備し、
前記設定部は、さらに、前記方向認識デバイスを用いて、前記画像が撮影された時刻に本携帯端末装置が向いている撮影方向を測定し、
前記ポインタ位置は、前記画像と前記撮影方向とにさらに基づいて算出される
携帯端末装置。
【請求項６】
方向認識デバイスを用いて本携帯端末装置が向いている方向を測定する方向測定部と、
ポインタ位置を算出するポインタ位置算出部と、
ポインタが映し出されている画面を生成する画面作成部と、
前記画面を表示装置に出力する画面送信部と、
を具備する携帯端末装置を用いたプレゼンテーション方法であって、
前記方向測定部が、前記携帯端末装置が向いている方向を測定するステップと、
前記ポインタ位置算出部が、前記方向に基づいてポインタ位置を算出するステップと、
前記画面作成部が、プレゼンテーション用画面の前記ポインタ位置にポインタが映し出されている画面を生成するステップと、
前記画面送信部が、前記画面を表示装置に出力するステップ
とを具備するプレゼンテーション方法。
【請求項７】
請求項６において、
前記画面は、前記方向が所定の範囲に含まれないときに、前記ポインタが映し出されないように作成される
プレゼンテーション方法。
【請求項８】
請求項６または請求項７のいずれかにおいて、
前記方向認識デバイスは、地磁気を用いて前記方向を測定する
プレゼンテーション方法。
【請求項９】
請求項６〜請求項８のいずれかにおいて、
携帯端末装置の入力デバイスを介して入力される情報に基づいて、携帯端末装置の設定部を用いて複数の設定方向を認識するステップをさらに具備し、
前記ポインタ位置は、前記複数の設定方向にさらに基づいて算出される
プレゼンテーション方法。
【請求項１０】
請求項６〜請求項８のいずれかにおいて、
前記携帯端末装置に固定されたカメラデバイスを用いて、前記表示装置に表示される画面の画像を撮影するステップと、
前記方向認識デバイスを用いて、前記画像が撮影された時刻に前記携帯端末装置が向いている撮影方向を測定するステップとをさらに具備し、
前記ポインタ位置は、前記画像と前記撮影方向とにさらに基づいて算出される
プレゼンテーション方法。
【発明の詳細な説明】
【技術分野】
【０００１】
本発明は、携帯端末装置およびプレゼンテーション方法に関し、特に、画面のうちの特定の箇所を指示するときに利用される携帯端末装置およびプレゼンテーション方法に関する。
【背景技術】
【０００２】
プロジェクタ／ＯＨＰなどを利用してプレゼンテーションを行う場合、説明している箇所を特定するために、レーザポインタ等のデバイスが利用されている。また、ＰＣ（パーソナルコンピュータ）をプロジェクタに接続している場合、ＰＣのマウスのポインタを利用して、説明している箇所を指示することも可能である。このとき、プレゼンテーションの最中にＰＣの画面を閲覧しながら、マウスを操作しなければならず、かなりの困難性を伴うという問題が発生する。
【０００３】
近年では、携帯電話などの携帯端末装置が高機能化しており、携帯端末装置にＰｏｗｅｒＰｏｉｎｔ（登録商標）やＰＤＦファイルを格納することで、ＰＣの代わりに携帯端末装置を利用して、プレゼンテーションを行うことができるようになってきている。このような携帯端末装置は、搭載されるキーやマウスを操作することにより、ＰＣと同様にして、説明している箇所を指示することも可能である。携帯端末装置のキーやマウスを利用してプレゼンテーションの説明箇所を特定する操作を行う場合には、ユーザーは、携帯端末装置の画面を見て操作が必要であり、かなりの困難性を伴うという問題が発生する。
【０００４】
画面を見せながらプレゼンテーションを行う場合に、その画面のうちの特定の箇所をより容易に指示することができる装置が望まれている。
【０００５】
特開２００４−３１８８２３号公報には、固定カメラや光学センサーを設置することなく、ユーザーが一般的に所有している携帯機器をポインティング装置として用いて指示位置の特定を可能とし、かつ、その指示位置にデータ表示などのコマンド入力を可能とする情報表示システムが開示されている。その情報表示システムは、情報処理装置と、該情報処理装置に保持された情報を表示面上に表示可能な情報表示装置と、この情報表示装置によって表示された表示画像上の任意の位置を指示するポインティング装置とを有する情報表示システムであって、前記ポインティング装置は、該ポインティング装置が前記表示画像上で指示しようとする位置を含む所定範囲を撮影してその所定範囲に対応する撮影画像情報を出力可能な撮影手段を有し、前記情報処理装置は、前記ポインティング装置からの前記撮影画像情報を受け取り、その撮影画像情報が撮影時点での表示画像に対応する表示画像情報のどの部分に対応するかを判定し、その判定結果から前記ポインティング装置が指示しようとする位置の座標を指示座標として特定する指示座標特定手段と、前記表示画像情報を記憶する表示画像情報記憶手段と、前記表示画像情報上の前記特定された指示座標にポインタマークを合成して表示する表示画像情報生成手段とを有することを特徴とする。
【０００６】
特開２００６−２５２２５０号公報には、携帯電話機の小型化、操作性向上を可能になる携帯電話機のポインティングデバイスが開示されている。その携帯電話機のポインティングデバイスは、表示エリアの位置を示すポインタを有し、前記携帯電話機の平面で直行するＸ軸、Ｙ軸に対して前記携帯電話機の傾斜角を測定するＸ軸・Ｙ軸傾斜角センサーと、前記携帯電話機を傾けた前後でポインタ制御ボタンの操作で前記Ｘ軸・Ｙ軸傾斜角センサーのＸ軸、Ｙ軸の傾斜角度の差分を算出し、算出した前記差分を前記ポインタの移動速度ベクトルのＸ成分、Ｙ成分とし、前記ポインタを移動させ、前記表示エリアを移動する前記ポインタの座標位置を算出し、前記ポインタを前記表示エリアに表示するポインティングデバイス制御部とを備えることを特徴とする。
【０００７】
特開２００７−１１４８２０号公報には、投影面上の映像について画面操作する際の操作性を向上させた携帯型ポインタ装置及び表示システムを提供することを目的としている。特に、映像内のオブジェクトを指示しながらであっても画面操作することができる携帯型ポインタ装置が開示されている。その携帯型ポインタ装置は、照射光を生成する照射光生成手段と、ユーザーによる操作入力に基づいて入力信号を生成する操作入力手段と、上記入力信号に基づいて傾きを検出する傾き検出手段とを備え、上記傾き検出手段が、操作入力時における上記照射光の照射方向を傾きとして検出することを特徴とする。
【０００８】
特開平０８−３３５１３６号公報には、簡単な構成でもって、既存の資源を活用しつつ、遠隔から表示スクリーン上の所望とする位置を指定することが可能になる座標検出装置が開示されている。その座標検出装置は、指示した座標位置を検出する座標検出装置であって、撮像手段を備えたポインティングデバイスと、該ポインティングデバイスから供給された像中の、座標入力空間を特定する少なくとも２つのマーカーを検出する検出手段と、検出されたマーカーの位置に基づいて、前記座標入力空間に対する前記撮像手段の撮像方向の位置を導出する導出手段とを備えることを特徴とする。
【先行技術文献】
【特許文献】
【０００９】
【特許文献１】特開２００４−３１８８２３号公報
【特許文献２】特開２００６−２５２２５０号公報
【特許文献３】特開２００７−１１４８２０号公報
【特許文献４】特開平０８−３３５１３６号公報
【発明の概要】
【発明が解決しようとする課題】
【００１０】
本発明の目的は、プレゼンテーションされている画面のうちの特定の箇所をより容易に指示する携帯端末装置およびプレゼンテーション方法を提供することにある。
【課題を解決するための手段】
【００１１】
本発明による携帯端末装置は、方向測定部とポインタ位置算出部と画面作成部と画面送信部とを備えている。その方向測定部は、方向認識デバイスを用いて携帯端末装置が向いている方向を測定する。そのポインタ位置算出部は、その方向に基づいてポインタ位置を算出する。その画面作成部は、プレゼンテーション用画面のそのポインタ位置にポインタが映し出されている画面を生成する。その画面送信部は、その画面を表示装置に出力する。
【００１２】
本発明によるプレゼンテーション方法は、方向認識デバイスを用いて携帯端末装置が向いている方向を測定するステップと、その方向に基づいてポインタ位置を算出するステップと、プレゼンテーション用画面のそのポインタ位置にポインタが映し出されている画面を生成するステップと、その画面を表示装置に出力するステップとを備えている。
【発明の効果】
【００１３】
本発明による携帯端末装置およびプレゼンテーション方法は、プレゼンテーションされている画面のうちの特定の箇所をより容易に指示することができる。
【図面の簡単な説明】
【００１４】
【図１】図１は、本発明による携帯端末装置が適用されたプレゼンテーションシステムを示す図である。
【図２】図２は、本発明による携帯端末装置を示すブロック図である。
【図３】図３は、本発明による携帯端末装置を示す機能ブロック図である。
【図４】図４は、携帯端末装置が向いている方向と画面が表示されている位置との関係を示す斜視図である。
【図５】図５は、携帯端末装置が向いている方向とポインタが表示される位置との関係を示す図である。
【図６】図６は、本発明によるプレゼンテーション方法を示すフローチャートである。
【図７】図７は、携帯端末装置が向いている方向と画面が表示されている位置との他の関係を示す斜視図である。
【図８】図８は、携帯端末装置が向いている方向と画面が表示されている位置とのさらに他の関係を示す斜視図である。
【図９】図９は、携帯端末装置が向いている方向と画面が表示されている位置とのさらに他の関係を示す斜視図である。
【発明を実施するための形態】
【００１５】
図面を参照して、本発明による携帯端末装置の実施の形態を記載する。その携帯端末装置１は、図１に示されているように、プレゼンテーションシステムに適用されている。そのプレゼンテーションシステムは、携帯端末装置１とプロジェクタ２とスクリーン３とを備えている。
【００１６】
プロジェクタ２は、携帯端末装置１から情報を受信することができるように、携帯端末装置１に接続されている。携帯端末装置１とプロジェクタ２との間の接続は、無線ＬＡＮやＢｌｕｅｔｏｏｔｈなどの無線接続、ＵＳＢなどの優先接続が考えられるが、いずれの接続方式が適用されても構わない。携帯端末装置１とプロジェクタ２との間の通信プロトコルとしては、独自プロトコル、ＤＬＮＡなど標準化団体で定義されている任意のプロトコルなど、様々な画面転送プロトコルが存在するが、いずれのプロトコルが適用されても構わない。プロジェクタ２は、携帯端末装置１から送信された画面をスクリーン３に投影する。スクリーン３は、プロジェクタ２から投影された画面を表示する。なお、プロジェクタ２とスクリーン３とは、別々の機器として定義しているが、携帯端末装置１から受信した画面を表示する一つのディスプレイ装置で構成されていても構わない。ディスプレイ装置としては、テレビなどが例示される。
【００１７】
図２は、携帯端末装置１を示している。携帯端末装置１は、ドキュメント管理機能１００と画面表示送信機能２００端末装置方向認識機能３００を備え、ＣＰＵ（中央処理演算装置）１０を備えている。
【００１８】
ドキュメント管理機能１００は、データ管理部１１とファイルシステム１２から構成される。ファイルシステム１２は、プレゼンテーションに用いられるデータ（ドキュメント）の格納を行う。データ管理部１１は、そのデータの読み出し／書き込みを行う。ファイルシステム１２は、携帯端末装置１内のデータベースであっても良い。なお、そのデータ（ドキュメント）は、携帯端末装置１内のファイルシステム１２に存在する必要はなく、携帯端末装置１以外のデバイス（ＰＣやサーバなど）に格納されていても構わない。
【００１９】
画面表示送信機能２００は、画面制御部２１と画面表示部２２と画面送信部２３とを備えている。画面制御部２１は、ドキュメント管理機能１００から読み出したデータを画面に表示させる。画面表示部２２は、携帯端末装置１上で画面を表示する。画面表示部２２としては、ＬＣＤなどが例示される。画面送信部２３は、他のデバイスに表示の要求を行う。
【００２０】
端末装置方向認識機能３００は、入力制御部３１と入力デバイス３２と方向認識デバイス３３とカメラ制御部３４とカメラデバイス３５とを備えている。入力デバイス３２は、ユーザーに操作されることにより情報を生成する。入力デバイス３２としては、キーやマウスなどが例示される。方向認識デバイス３３は、携帯端末装置１の方向を認識する。方向認識デバイス３３としては、加速度センサー／地磁気センサーなどが例示される。入力制御部３１は、入力デバイス３２と方向認識デバイス３３とからの入力情報を制御する。カメラデバイス３５は、被写体の画像を撮影する。カメラ制御部３４は、カメラデバイス３５の撮影を制御する。
【００２１】
携帯端末装置１は、さらに、図示されていない記憶装置とリムーバルメモリドライブと通信装置とを備えている。ＣＰＵ１０は、携帯端末装置１にインストールされるコンピュータプログラムを実行して、その記憶装置とリムーバルメモリドライブと通信装置とを制御する。その記憶装置は、そのコンピュータプログラムを記録し、ＣＰＵ１０により生成される情報を一時的に記録する。そのリムーバルメモリドライブは、記録媒体が挿入されたときに、その記録媒体に記録されているデータを読み出すことに利用される。そのリムーバルメモリドライブは、さらに、コンピュータプログラムが記録されている記録媒体が挿入されたときに、そのコンピュータプログラムを携帯端末装置１にインストールするときに利用される。その記録媒体としては、フラッシュメモリ、磁気ディスク（フレキシブルディスク、ハードディスク）、磁気テープ（ビデオテープ）、光ディスク（ＣＤ、ＤＶＤ）、光磁気ディスクが例示される。その通信装置は、通信回線網を介して他のコンピュータから出力された情報をＣＰＵ１０に出力する。その通信装置は、さらに、通信回線網に公開されているコンピュータプログラムを携帯端末装置１にインストールするときに利用される。その通信回線網としては、ＬＡＮ、インターネット、専用回線が例示される。
【００２２】
携帯端末装置１にインストールされるコンピュータプログラムは、携帯端末装置１に複数の機能を実現させるための複数のコンピュータプログラムから形成されている。その複数の機能は、図３に示されているように、携帯電話部４０と方向測定部４１と設定部４２とポインタ位置算出部４３と画面生成部４４と画面表示部４５とを含んでいる。
【００２３】
携帯電話部４０は、携帯端末装置１を携帯電話機として機能させる。すなわち、携帯端末装置１は、図示されていないマイクとスピーカとを備え、携帯電話部４０は、入力デバイス３２に入力される所定の操作に応答して、その通信装置を用いて、そのマイクにより収音された音声を他の携帯電話機にその通信回線網を介して送信し、他の携帯電話機からその通信回線網を介して受信された音声をそのスピーカから出力する。携帯電話部４０は、入力デバイス３２に入力される所定の操作により指定された送信先に、その通信回線網を介して入力デバイス３２に入力される所定の操作により作成された電子メールを送信する。携帯電話部４０は、その通信回線網を介して受信した電子メールを画面表示部２２に表示する。
【００２４】
方向測定部４１は、携帯端末装置１が向いている方向を測定するように、方向認識デバイス３３を制御する。
【００２５】
設定部４２は、方向測定部４１により測定される方向と入力デバイス３２を介して入力される情報とに基づいて複数の設定方向を設定する。
【００２６】
ポインタ位置算出部４３は、方向測定部４１により測定される方向と設定部４２により設定された複数の設定方向とに基づいてポインタ位置を算出する。
【００２７】
画面生成部４４は、ファイルシステム１２に格納されているデータとポインタ位置算出部４３により算出されたポインタ位置とに基づいて画面を算出する。
【００２８】
画面表示部４５は、画面生成部４４により算出された画面がスクリーン３に投影されるように、画面送信部２３を介して画面データをプロジェクタ２に送信する。
【００２９】
携帯端末装置１が向いている方向５３は、図４に示されているように、スクリーン３が沿う平面上の点５２−（ＸＸ，ＹＹ）の位置の座標により表現されることができる。このとき、設定部４２は、方向認識デバイス３３を利用して、スクリーン３に投影されている画面５１の４隅の位置の座標を算出することにより、４つの設定方向を設定する。このとき、プロジェクタ２は、携帯端末装置１により生成される画面５４スクリーン３に投影することにより、画面５１をスクリーン３に表示する。すなわち、ユーザーは、画面５１の４隅（左上、左下、右上、右下）に携帯端末装置１が向くように、携帯端末装置１を傾け、入力デバイス３２を操作する。たとえば、ユーザーは、画面５１の４隅のうちの１つの点に携帯端末装置１が向いているときに、入力デバイス３２を介して携帯端末装置１がその１つの点に向いていることを入力する。設定部４２は、方向認識デバイス３３により測定された方向とユーザーによる操作とに基づいて、画面５１の左上隅５２−（Ｘ１，Ｙ１）の座標（Ｘ１，Ｙ１）を算出し、左下隅５２−（Ｘ２，Ｙ２）の座標（Ｘ２，Ｙ２）を算出し、右上隅５２−（Ｘ３，Ｙ３）の座標（Ｘ３，Ｙ３）を算出し、右下隅５２−（Ｘ４，Ｙ４）の座標（Ｘ４，Ｙ４）を算出する。設定部４２は、その４隅の座標に基づいて４つの設定方向を設定する。その４つの設定方向は、携帯端末装置１からその４隅に向かう方向をそれぞれ示している。
【００３０】
通常、地磁気センサーを利用する場合、Ｘ／Ｙ／Ｚの３軸を利用して携帯端末装置１がどの方向を向いているのかを判断するが、携帯端末装置１上の特定方向（例：携帯端末装置１の画面に対して垂直方向）をＺ軸として補正し、他の２軸（例：携帯端末装置１の画面の水平方向）をＸ／Ｙ軸として補正を行い、補正されたＸ／Ｙの２軸の方向を利用して、携帯端末装置１がどの方向に向いているのかを判定する。ただし、本実施例の説明では、携帯端末装置１の画面に対して垂直な方向をＺ軸として補正することを記載しているが、携帯端末装置のどの方向をＺ軸として判断しても構わない。また、スクリーン３上の画面の４隅を認識させるための、携帯端末装置１のユーザーインターフェースはどのような方式を用いても構わない。
【００３１】
図５は、ポインタ位置算出部４３により算出されるポインタ位置を示している。そのポインタ位置６５は、ファイルシステム１２により格納されているデータが示す画面６４上の位置を示している。このとき、ポインタ位置算出部４３は、方向認識デバイス３３により測定された方向に基づいて、すなわち、スクリーン３が沿う平面のうちの携帯端末装置１が向いている点６２の座標（ＸＸ，ＹＹ）に基づいて、ポインタ位置６５を算出する。たとえば、ポインタ位置算出部４３は、設定部４２で設定された４隅に囲まれた四角形６１が正方形であり、プレゼンテーション用の画面６４が長方形であるときに、四角形６１に対する点６２の相対位置が画面６４に対するポインタ位置６５の相対位置に一致するように、ポインタ位置６５を算出する。たとえば、ポインタ位置算出部４３は、点６２のＸ座標ＸＸが四角形６１の幅の１：３の位置を示し、点６２のＹ座標ＹＹが四角形６１の高さの１：２の位置を示すときに、ポインタ位置６５のＸ座標ｘｘが画面６４の幅の１：３の位置を示し、ポインタ位置６５のＹ座標ｙｙが画面６４の高さの１：２の位置を示すように、ポインタ位置６５を算出する。
【００３２】
このとき、画面生成部４４は、画面６４のうちのポインタ位置６５にポインタ６６が重なって表示される画面を算出する。
【００３３】
図６は、本発明によるプレゼンテーション方法を示している。携帯端末装置１は、最初に、データ管理部１１を用いてファイルシステム１２に格納されているプレゼンテーション用のドキュメントを読み出す（ステップＦ１）。携帯端末装置１は、次に、その読み出されたドキュメントが示す画面を作成し、画面送信部２３を用いてプロジェクタ２にその画面を送信する（ステップＦ２）。プロジェクタ２は、携帯端末装置１からその画面を受信すると、スクリーン３にその画面が表示されるように、その画面をスクリーン３に投影する（ステップＦ３）。携帯端末装置１は、さらに、画面制御部２１を用いて、画面表示部２２にその画面を表示させる。なお、画面表示部２２上でその画面を表示することは、必ずしも必要はなく、省略することができる。
【００３４】
ユーザーは、スクリーン３に表示されている画面５１の左上隅５２−（Ｘ１，Ｙ１）に携帯端末装置１が向くように携帯端末装置１を傾け、入力デバイス３２を介して携帯端末装置１が左上隅５２−（Ｘ１，Ｙ１）に向いていることを入力する。ユーザーは、次いで、スクリーン３に表示されている画面５１の左下隅５２−（Ｘ２，Ｙ２）に携帯端末装置１が向くように携帯端末装置１を傾け、入力デバイス３２を介して携帯端末装置１が左下隅５２−（Ｘ２，Ｙ２）に向いていることを入力する。ユーザーは、次いで、スクリーン３に表示されている画面５１の右上隅５２−（Ｘ３，Ｙ３）に携帯端末装置１が向くように携帯端末装置１を傾け、入力デバイス３２を介して携帯端末装置１が右上隅５２−（Ｘ３，Ｙ３）に向いていることを入力する。ユーザーは、次いで、スクリーン３に表示されている画面５１の右下隅５２−（Ｘ４，Ｙ４）に携帯端末装置１が向次いで、くように携帯端末装置１を傾け、入力デバイス３２を介して携帯端末装置１が右下隅５２−（Ｘ４，Ｙ４）に向いていることを入力する。携帯端末装置１は、これらの入力情報に基づいて、４つの設定方向を設定する。その４つの設定方向は、携帯端末装置１からその４隅に向かう方向をそれぞれ示している（ステップＦ４）。
【００３５】
携帯端末装置１は、画面５１の４隅の設定後、方向認識デバイス３３を利用して携帯端末装置１の方向の測定し、携帯端末装置１が画面５１の４隅の枠内を向いているかどうか判定する（ステップＦ５）。携帯端末装置１は、携帯端末装置１が向いている位置の座標（ＸＸ，ＹＹ）が画面５１の４隅（左上（Ｘ１，Ｙ１）、左下（Ｘ２，Ｙ２）、右上（Ｘ３，Ｙ３）、右下（Ｘ４，Ｙ４））で囲まれた枠の外側を指しているときに（ステップＦ５、枠外）、何もせず、ポインタ６６が表示されないように、ファイルシステム１２により格納されているデータが示す画面６４がそのままスクリーン３に表示されるように、プロジェクタ２を制御し、再度（ステップＦ５）の判定を繰り返す。
【００３６】
携帯端末装置１は、携帯端末装置１が向いている位置の座標（ＸＸ，ＹＹ）が画面５１の４隅に囲まれた枠の内側を指しているときに（ステップＦ５、枠内）、座標（ＸＸ，ＹＹ）に基づいてポインタ位置６５を算出する。携帯端末装置１は、ファイルシステム１２により格納されているデータが示す画面６４のうちのポインタ位置６５にポインタ６６が重なって表示される画面を算出する（ステップＦ６）。携帯端末装置１は、その算出された画面がスクリーン３に表示されるように、その画面の画面データをプロジェクタ２に送信する（ステップＦ７）。プロジェクタ２は、携帯端末装置１からその画面を受信すると、スクリーン３にその画面が表示されるように、その画面をスクリーン３に投影する（ステップＦ８）。すなわち、ステップＦ７とステップＦ８との表示処理は、ステップＦ２とステップＦ３との表示処理と同様である。
【００３７】
携帯端末装置１は、携帯端末装置１の表示処理を終了させるための操作が入力デバイス３２に実施されるまで（ステップＦ９）、ステップＦ５〜ステップＦ８の処理を繰り返して実行する。
【００３８】
このようなプレゼンテーション方法によれば、ユーザーは、レーザポインタなどのデバイスがなくても、所望の画面をスクリーン３に表示させる携帯端末装置１をレーザポインタと同様の機能を実現する遠隔制御装置として利用することが可能になり、その画面のうちの所望の箇所をより容易に指示することができる。ユーザーは、携帯端末装置１がスクリーン３に表示されている画面の枠内を指しているときのみにポインタを表示させることによって、スクリーン３に表示されている画面の４隅の枠の外側に携帯端末装置１を向けることによりポインタ６６を表示させないようにすることができる。
【００３９】
なお、設定部４２により設定される複数の設定方向は、スクリーン３に表示される画面の四隅をそれぞれ向く方向と異なる他の複数の設定方向が設定されることもできる。
【００４０】
図７は、その複数の設定方向の１つの例を示している。その複数の設定方向は、左上隅７３−（Ｘ１、Ｘ１）と左下隅７３−（Ｘ２，Ｙ２）と右上隅７３−（Ｘ３，Ｙ３）と右下隅７３−（Ｘ４，Ｙ４）とを示している。その複数の設定方向が示す４隅に囲まれた四角形７２は、スクリーン３に表示される画面７１を包含するように、形成されている。すなわち、画面７１の左上隅７３−（Ｘ５，Ｙ５）と左下隅７３−（Ｘ６，Ｙ６）と右上隅７３−（Ｘ７，Ｙ７）と右下隅７３−（Ｘ８，Ｙ８）とは、その複数の設定方向が示す４隅に囲まれた四角形７２の内部に配置されている。
【００４１】
携帯端末装置１は、このような複数の設定方向が適用された場合でも、既述の実施の形態と同様にして、設定された４隅（左上隅７３−（Ｘ１、Ｘ１）と左下隅７３−（Ｘ２，Ｙ２）と右上隅７３−（Ｘ３，Ｙ３）と右下隅７３−（Ｘ４，Ｙ４））の枠内を携帯端末装置１が指しているときに、ポインタが重なって表示される画面を算出し、その算出された画面をスクリーン３に表示する。
【００４２】
スクリーン３に表示される実際の画面が小さい場合、携帯端末装置１で正確な位置を示すことが困難であることがある。携帯端末装置１は、このような複数の設定方向が適用された場合、スクリーン３に表示される画面が小さく、携帯端末装置１で正確な位置を示すことが困難な場合でも、相対位置に座標を変換することによって、ポインタの表示位置を簡単に指定することが可能である。
【００４３】
図８は、その複数の設定方向の他の１つの例を示している。その複数の設定方向は、左上隅８２−（Ｘ１、Ｘ１）と左下隅８２−（Ｘ２，Ｙ２）と右上隅８２−（Ｘ３，Ｙ３）と右下隅８２−（Ｘ４，Ｙ４）とを示している。その複数の設定方向が示す４隅に囲まれた四角形８１は、スクリーン３に表示される画面と一致するように指定され、矩形でない四角形を示している。携帯端末装置１は、このような複数の設定方向が適用された場合でも、既述の実施の形態と同様にして、設定された４隅の枠内を携帯端末装置１が指しているときに、携帯端末装置１が向いている方向に対応するポインタ位置にポインタが重なって表示される画面を算出し、その算出された画面をスクリーン３に表示する。
【００４４】
図９は、その複数の設定方向の他の１つの例を示している。その複数の設定方向は、左上隅８２−（Ｘ１、Ｘ１）と左下隅９４−（Ｘ２，Ｙ２）と右上隅９４−（Ｘ３，Ｙ３）と右下隅９４−（Ｘ４，Ｙ４）とを示している。その複数の設定方向が示す４隅に囲まれた四角形９１は、長方形に形成され、スクリーン３に表示される画面９２を包含するように形成されている。すなわち、画面９２の左上隅９３−（Ｘ５，Ｙ５）と左下隅９３−（Ｘ６，Ｙ６）と右上隅９３−（Ｘ７，Ｙ７）と右下隅９３−（Ｘ８，Ｙ８）とは、その複数の設定方向が示す４隅に囲まれた四角形９１の内部に配置されている。携帯端末装置１は、このような複数の設定方向が適用された場合でも、既述の実施の形態と同様にして、設定された４隅の枠内を携帯端末装置１が指しているときに、携帯端末装置１が向いている方向に対応するポインタ位置にポインタが重なって表示される画面を算出し、その算出された画面をスクリーン３に表示する。
【００４５】
プレゼンテーションを行う人が常にスクリーンの前面で操作しているとは限らないで、スクリーン３に表示される画面は、必ずしも長方形であるとは限らない。携帯端末装置１は、スクリーン３に表示される画面が携帯端末装置１から見て矩形に成っていない場合でも、相対位置に座標を変換することによって、ポインタの表示位置を簡単に指定することが可能である。携帯端末装置１は、図９のような複数の設定方向が適用された場合、スクリーン３に表示される画面の一部の正確な位置を示すことが困難な場合でも、相対位置に座標を変換することによって、ポインタの表示位置を簡単に指定することが可能である。
【００４６】
なお、設定部４２は、図６のフローチャートのステップＦ４の動作と異なる動作を示す他の設定部に置換されることもできる。その設定部は、所定の画面を示す画面データをプロジェクタ２に送信し、スクリーン３にその所定の画面を表示させる。ユーザーは、スクリーン３にその画面が表示されているときに、カメラデバイス３５によりそのスクリーンを映す画像が撮像が撮影されるように、携帯端末装置１を操作する。その設定部は、方向認識デバイス３３を用いて、その画像が撮影されたタイミングに携帯端末装置１が向いていた方向を測定する。その設定部は、カメラデバイス３５で撮影された画像を解析し、その測定された方向に基づいてスクリーン３上の画面の矩形の４隅の座標を算出し、その４隅の座標に基づいて複数の設定方向を算出する。
【００４７】
たとえば、その設定部は、撮影時の垂直方向をＺ軸として判断し、水平方向をＸ／Ｙ軸として認識する。その設定部は、カメラで撮影時に携帯端末装置１からスクリーン３までの実際の距離は判定できないため、その認識された４隅の座標は、スクリーン３上の画面の４隅の座標と異なる場合もある。ただし、本発明では、携帯端末装置１上で認識する４隅と実際の画面の４隅は異なっていても、携帯端末装置１で認識する４隅を携帯端末装置１内で作成する画面の矩形の相対位置に変換してポインタを表示するため、カメラで４隅を認識される場合も、加速度センサーや地磁気センサーで４隅を認識させた場合と同様の効果を得ることが可能となる。
【００４８】
携帯端末装置１は、このように複数の設定方向が設定された場合でも、既述の実施の形態と同様にして、設定された４隅の枠内を携帯端末装置１が指しているときにのみ、ポインタが重なって表示される画面を算出し、その算出された画面をスクリーン３に表示する。このように複数の設定方向が設定される場合、ユーザーは、スクリーン３に表示される画面の４隅にそれぞれ携帯端末装置１が向くように携帯端末装置１を傾ける必要がない。このため、携帯端末装置は、このように複数の設定方向が設定された場合に、その複数の設定方向を設定するためのユーザーの操作をより容易にすることができ、ポインタの表示位置を簡単に指定することが可能である。
【００４９】
（付記１）
方向認識デバイスを用いて本携帯端末装置が向いている方向を測定する方向測定部と、
前記方向に基づいてポインタ位置を算出するポインタ位置算出部と、
プレゼンテーション用画面の前記ポインタ位置にポインタが映し出されている画面を生成する画面作成部と、
前記画面を表示装置に出力する画面送信部
とを具備する携帯端末装置。
【００５０】
（付記２）
付記１において、
前記画面は、前記方向が所定の範囲に含まれないときに、前記ポインタが映し出されないように作成される
携帯端末装置。
【００５１】
（付記３）
付記１または付記２のいずれかにおいて、
前記方向認識デバイスは、地磁気を用いて前記方向を測定する
携帯端末装置。
【００５２】
（付記４）
付記１〜付記３のいずれかにおいて、
入力デバイスを介して入力される情報に基づいて複数の設定方向を認識する設定部をさらに具備し、
前記ポインタ位置は、前記複数の設定方向にさらに基づいて算出される
携帯端末装置。
【００５３】
（付記５）
付記１〜付記３のいずれかにおいて、
本携帯端末装置に固定されたカメラデバイスを用いて、前記表示装置に表示される画面の画像を撮影する設定部をさらに具備し、
前記設定部は、さらに、前記方向認識デバイスを用いて、前記画像が撮影された時刻に本携帯端末装置が向いている撮影方向を測定し、
前記ポインタ位置は、前記画像と前記撮影方向とにさらに基づいて算出される
携帯端末装置。
【００５４】
（付記６）
付記１〜付記５のいずれかに記載される携帯端末装置と、
前記表示装置
とを具備するプレゼンテーションシステム。
【００５５】
（付記７）
方向認識デバイスを用いて携帯端末装置が向いている方向を測定するステップと、
前記方向に基づいてポインタ位置を算出するステップと、
プレゼンテーション用画面の前記ポインタ位置にポインタが映し出されている画面を生成するステップと、
前記画面を表示装置に出力するステップ
とを具備するプレゼンテーション方法。
【００５６】
（付記８）
付記７において、
前記画面は、前記方向が所定の範囲に含まれないときに、前記ポインタが映し出されないように作成される
プレゼンテーション方法。
【００５７】
（付記９）
付記７または付記８のいずれかにおいて、
前記方向認識デバイスは、地磁気を用いて前記方向を測定する
プレゼンテーション方法。
【００５８】
（付記１０）
付記７〜付記９のいずれかにおいて、
入力デバイスを介して入力される情報に基づいて複数の設定方向を認識するステップをさらに具備し、
前記ポインタ位置は、前記複数の設定方向にさらに基づいて算出される
プレゼンテーション方法。
【００５９】
（付記１１）
付記７〜付記９のいずれかにおいて、
前記携帯端末装置に固定されたカメラデバイスを用いて、前記表示装置に表示される画面の画像を撮影するステップと、
前記方向認識デバイスを用いて、前記画像が撮影された時刻に前記携帯端末装置が向いている撮影方向を測定するステップとをさらに具備し、
前記ポインタ位置は、前記画像と前記撮影方向とにさらに基づいて算出される
プレゼンテーション方法。
【００６０】
（付記１２）
付記７〜付記１１のいずれかに記載されるプレゼンテーション方法をコンピュータに実行させるためのコンピュータプログラム。
【００６１】
（付記１３）
付記１２に記載されるコンピュータプログラムを記録したコンピュータ読み取り可能な記録媒体。
【符号の説明】
【００６２】
１    ：携帯端末装置
２    ：プロジェクタ
３    ：スクリーン
１００：ドキュメント管理機能
２００：画面表示送信機能
３００：端末装置方向認識機能
１０  ：ＣＰＵ
１１  ：データ管理部
１２  ：ファイルシステム
２１  ：画面制御部
２２  ：画面表示部
２３  ：画面送信部
３１  ：入力制御部
３２  ：入力デバイス
３３  ：方向認識デバイス
３４  ：カメラ制御部
３５  ：カメラデバイス
４０  ：携帯電話部
４１  ：方向測定部
４２  ：設定部
４３  ：ポインタ位置算出部
４４  ：画面生成部
４５  ：画面表示部
５１  ：画面
５３  ：方向
５４  ：画面
６１  ：四角形
６２  ：点
６４  ：画面
６５  ：ポインタ位置
６６  ：ポインタ
７１  ：画面
７２  ：四角形
８１  ：四角形
９１  ：四角形
９２  ：画面
【図１】
0005522591.tif 000002
【図２】
0005522591.tif 000003
【図３】
0005522591.tif 000004
【図４】
0005522591.tif 000005
【図５】
0005522591.tif 000006
【図６】
0005522591.tif 000007
【図７】
0005522591.tif 000008
【図８】
0005522591.tif 000009
【図９】
0005522591.tif 000010